(57)【要約】  【課題】  コインサンド等の遊技媒体貸出装置に関し、種々の不正操作・細工を検知することが可能であって、また様々なシステムにも適用することが可能な不正貸出検査機器及び不正貸出検査機能を備えた遊技媒体貸出装置を提供する。  【解決手段】  本発明の実施の形態に係るコインサンド１は、遊技者により投入された紙幣を識別する紙幣識別ユニット１０、コインサンド全体の制御を行うためのサンド基板ユニット２０、前記サンド基板ユニットからの指令により所定枚数のメダルを払出すと共に、この払出し枚数を検知するためのホッパーセンサ３１を有するホッパーユニット３０、コインサンド筐体の前面カバーの開閉を検知するドアセンサ４０、紙幣識別ユニット、ホッパーセンサ及びドアセンサからの出力に基づいて不正なメダル貸出を検知するセキュリティ基板５０を備えている。【選択図】  図１
2005237573.tif 000002
【特許請求の範囲】
【請求項１】
遊技者に遊技媒体を貸出す遊技媒体貸出装置であって、
遊技者により投入された貨幣を識別するための貨幣識別手段と、
前記投入された貨幣に応じて遊技者に払出された遊技媒体の数を検知する遊技媒体払出数検知手段と、
前記貨幣識別手段及び前記遊技媒体払出数検知手段を内蔵すると共に、内部にアクセスするために開閉可能なカバーを有する筐体と、
前記カバーの開閉を検知するドア開閉検知手段と、
前記貨幣識別手段、遊技媒体払出数検知手段及びドア開閉検知手段の出力から、当該遊技媒体貸出装置に対する不正な行為を検知する演算手段と、を備えることを特徴とする遊技媒体貸出装置。
【請求項２】
遊技者により投入された紙幣のストック量を検知するための測距センサをさらに備え、前記演算手段は、前記測距センサの出力から、紙幣のストック量が所定の量に達したことを検視すると、通知信号を出力することを特徴とする請求項１記載の遊技媒体貸出装置。
【請求項３】
遊技者により投入された貨幣を識別するための貨幣識別手段と、前記投入された貨幣に応じて遊技者に払出された遊技媒体の数を検知する遊技媒体払出数検知手段と、前記貨幣識別手段及び前記遊技媒体払出数検知手段を内蔵すると共に、内部にアクセスするために開閉可能なカバーを有する筐体と、前記カバーの開閉を検知するドア開閉検知手段とを備えた遊技媒体貸出装置に対する不正な行為を検知するための不正貸出検査機器であって、
前記貨幣識別手段、遊技媒体払出数検知手段及びドア開閉検知手段の出力信号を得るために、前記遊技媒体貸出装置内の回路に接続するための接続手段と、
前記貨幣識別手段、遊技媒体払出数検知手段及びドア開閉検知手段の出力信号に基づいて、当該遊技媒体貸出装置に対する不正な行為を検知する演算手段と、を備えることを特徴とする不正貸出検査機器。
【請求項４】
前記演算手段は、前記ドア開閉検知手段の出力信号から前記カバーが閉じた状態、前記貨幣識別手段の出力信号から貨幣が投入されていない状態、及び前記遊技媒体払出数検知手段の出力から１枚以上の遊技媒体が払出された状態、を検知した時に、不正な行為が行われたと判断するよう構成されていることを特徴とする請求項３記載の不正貸出検査機器。
【請求項５】
前記演算手段は、前記ドア開閉検知手段の出力信号から前記カバーが閉じた状態、前記貨幣識別手段の出力信号から所定の額の貨幣が投入された状態、及び前記遊技媒体払出数検知手段の出力から前記所定の額に対して予め設定されている払出数と異なる数の遊技媒体が払出された状態、を検知した時に、不正な行為が行われたと判断するよう構成されていることを特徴とする請求項３又は請求項４記載の不正貸出検査機器。
【請求項６】
貨幣識別手段及び遊技媒体払出数検知手段を備えた遊技媒体貸出装置に対する不正な行為を検知する不正貸出検査方法であって、
前記貨幣識別手段からの出力信号を取得して貨幣の投入を検知する貨幣検知ステップと、
前記遊技媒体払出数検知手段から上記遊技者に対して払出された遊技媒体の数を取得する遊技媒体数取得ステップと、
前記遊技媒体数取得ステップが実行される度に、予め設定された貸出数と一致しているか否かを検査する検査ステップと、を有することを特徴とする不正貸出検査方法。
【発明の詳細な説明】
【技術分野】
【０００１】
本発明は、パチスロ店等に設置されるメダル等の遊技媒体を貸し出しする遊技媒体貸出装置に関し、特に遊技媒体貸出装置の不正操作を防止する構造に関する。
【背景技術】
【０００２】
パチスロ店においては、パチスロ機に投入するメダル（コイン）を貸し出すコインサンドと呼ばれる装置が、パチスロ機の横に一台ずつ又は各島に数台ずつ設置されている。そして、遊技者がコインサンドに千円札を投入すると、排出口に50枚のメダルが排出され、貸し出されるようになっている。
【０００３】
図４は、従来のコインサンドの構成について示す図である。同図に示すように、コインサンドは、投入される紙幣を識別する紙幣識別ユニット、コインサンドの制御を行うためのＣＰＵ等が載置されたサンド基板ユニット、及びメダルを収納すると共にサンド基板からの指令に従ってメダルを供給するホッパーユニットを備えている。このような構成において、紙幣識別ユニットに紙幣が投入されると、紙幣の真偽や枚数等が判別され、投入金額を示す信号がサンド基板ユニットに送信される。サンド基板ユニットは、投入金額に相当する枚数のメダルを排出するように、ホッパーユニットを制御し、遊技者にメダルが貸し出される。
【０００４】
また、同図に示すようにサンド基板ユニットには排出ボタンが設置されており、店員が、コインサンドの前面カバーを開けてこのボタンを押すことで、強制的にメダルを排出できるように構成されている。この排出ボタンは、紙幣の詰まりによりメダルが出なかった時など、応急処置として強制的にメダルを排出したい場合に使用される。また、同図に示すメダル自動補給口は、ホッパーユニット内に払出し用のメダルを自動的に供給するための開口であり、図示しないメダル供給ラインに接続される。なお、メダルの補給方法としては、店員が前面カバーを開けて、手動で補給するように構成された物もある。
【０００５】
ところで、近年、コインサンドに対して不正操作を行ったり、回路に不正な細工を施すことで、不正にメダルを排出させたり、投入金額に対するメダルの排出枚数を増減させるといった不正行為が行われている。不正行為が横行すると、遊技者やパチスロ店側が多大な損害を被ることになるので、従来から、このような不正行為を防止する機能を備えたコインサンドが開発されている。
【０００６】
例えば、下記特許文献１には、不正な電波を遊技媒体貸出装置に対して発信することで、メダルを排出させるという不正操作を防止するために、遊技媒体貸出装置内に、不正な電波を検知する手段を設けたものが開示されている。
【特許文献１】特開２００１−２５９１２０号公報
【０００７】
また、下記特許文献２には、メダル供給ラインからメダル貸し機のメダルホッパーへのメダル補給と次のメダル補給との間においてカウントしたメダル払出枚数を、設定されたメダル払出量と比較し、設定量より少ない場合に不正が行われたと判断する不正検出方法が開示されている。
【特許文献２】特開２００２−１０２４２５号公報
【発明の開示】
【発明が解決しようとする課題】
【０００８】
しかし、上記特許文献１記載の技術では、コインサンド内に細い棒を挿入して、上記メダル排出ボタンを押してメダルを不正に排出させる行為や、サンド基板回路に不正な細工を施し、サンド基板回路からホッパーユニットへの払い出し命令の枚数を不正に増やすといった行為に対応することができない。また、特許文献２に記載の技術では、メダル供給ラインからのメダル補給が行われる頻度でのみ不正のチェックが行われるので、不正が検出されたとしても、具体的にどの段階で不正が行われたかを特定するのが困難である。また、特許文献２に記載の技術は、メダル供給ラインから自動的に各メダル貸し機のホッパーへメダル供給が行われるシステムが構築されていることが前提となっており、店員が手動で各メダル貸し機にメダルの補充を行うようなシステムに対しては、適用することができない。
【０００９】
本発明は、このような課題に鑑みてなされたものであり、コインサンド等の遊技媒体貸出装置に関し、種々の不正操作・細工を検知することが可能であって、また様々なシステムにも適用することが可能な不正貸出検査機器及び不正貸出検査機能を備えた遊技媒体貸出装置を提供することを目的とする。
【課題を解決するための手段】
【００１０】
上記課題を解決するために、本発明に係る遊技媒体貸出装置は、遊技者に遊技媒体を貸出す遊技媒体貸出装置であって、遊技者により投入された貨幣を識別するための貨幣識別手段と、前記投入された貨幣に応じて遊技者に払出された遊技媒体の数を検知する遊技媒体払出数検知手段と、前記貨幣識別手段及び前記遊技媒体払出数検知手段を内蔵すると共に、内部にアクセスするために開閉可能なカバーを有する筐体と、前記カバーの開閉を検知するドア開閉検知手段と、前記貨幣識別手段、遊技媒体払出数検知手段及びドア開閉検知手段の出力から、当該遊技媒体貸出装置に対する不正な行為を検知する演算手段と、を備えることを特徴とする。
ここで、上記課題を解決するための手段の貨幣識別手段には、本実施の形態では、紙幣識別ユニットが該当する。同様に、遊技媒体払出数検知手段にはホッパーセンサ、ドア開閉検知手段にはドアセンサ、演算手段にはセキュリティ基板が該当する。
【００１１】
また、本発明に係る不正貸出検査機器は、遊技者により投入された貨幣を識別するための貨幣識別手段と、前記投入された貨幣に応じて遊技者に払出された遊技媒体の数を検知する遊技媒体払出数検知手段と、前記貨幣識別手段及び前記遊技媒体払出数検知手段を内蔵すると共に、内部にアクセスするために開閉可能なカバーを有する筐体と、前記カバーの開閉を検知するドア開閉検知手段とを備えた遊技媒体貸出装置に対する不正な行為を検知するための不正貸出検査機器であって、前記貨幣識別手段、遊技媒体払出数検知手段及びドア開閉検知手段の出力信号を得るために、前記遊技媒体貸出装置内の回路に接続するための接続手段と、前記貨幣識別手段、遊技媒体払出数検知手段及びドア開閉検知手段の出力信号に基づいて、当該遊技媒体貸出装置に対する不正な行為を検知する演算手段と、を備えることを特徴とする。
【００１２】
また、本発明に係る不正貸出検査方法は、貨幣識別手段及び遊技媒体払出数検知手段を備えた遊技媒体貸出装置に対する不正な行為を検知する不正貸出検査方法であって、前記貨幣識別手段からの出力信号を取得して貨幣の投入を検知する貨幣検知ステップと、前記遊技媒体払出数検知手段から上記遊技者に対して払出された遊技媒体の数を取得する遊技媒体数取得ステップと、前記遊技媒体取得ステップが実行される度に、予め設定された貸出数と一致しているか否かを検査する検査ステップと、を有することを特徴とする。
【発明の効果】
【００１３】
本発明に係る遊技媒体貸出装置及び不正貸出検査機器によれば、種々の不正行為を簡単な構成で確実に検知することが可能である。
さらに、演算手段が、ドア開閉検知手段の出力信号からカバーが閉じた状態、貨幣識別手段の出力信号から貨幣が投入されていない状態、及び遊技媒体払出数検知手段の出力から１枚以上の遊技媒体が払出された状態、を検知した時に、不正な行為が行われたと判断するよう構成されていれば、コインサンド内に棒等を突っ込んで払出ボタンを押したり、コインサンド内の回路に対して不正な電波を発したりして、強制的にメダルを不正払出しする行為を検知することができる。
【００１４】
さらに、演算手段が、ドア開閉検知手段の出力信号からカバーが閉じた状態、貨幣識別手段の出力信号から所定の額の貨幣が投入された状態、及び遊技媒体払出数検知手段の出力から所定の額に対して予め設定されている払出数と異なる数の遊技媒体が払出された状態、を検知した時に、不正な行為が行われたと判断するよう構成されていれば、コインサンド内の回路に施された、払出メダル数を増やすような不正な細工を検知することができる。
【発明を実施するための最良の形態】
【００１５】
以下、図面を参照しながら、本発明の実施の形態について詳細に説明する。
図１は、本発明の実施の形態に係る不正払出検査機能を備えた遊技媒体貸出装置としてのコインサンド１の概略構成を示すブロック図である。なお、筐体の形状等、その他の構成については、図４に示す従来のコインサンドと同様であるので、説明を省略する。同図に示すように、コインサンド１は、紙幣識別ユニット１０、サンド基板ユニット２０、ホッパーユニット３０、ドアセンサ４０、セキュリティ基板５０を備えている。また、図示は省略するが、前面カバーは、紙幣識別ユニット１０及びサンド基板ユニット２０にアクセスするための前面カバーＡと、及びホッパーユニット３０にアクセするための前面カバーＢとから構成され、それぞれ鍵が掛けられるようになっている。
【００１６】
紙幣識別ユニット１０は、遊技客が遊技用メダルを借りるための紙幣（通常は千円札）を投入する投入口を備えており、投入口に投入された紙幣の真偽及び金額を識別する機能を有している。この識別結果を示す信号は、サンド基板ユニット２０に送信される。サンド基板ユニット２０は、コインサンド全体の制御を行うための演算装置を有している。上記紙幣識別ユニット１０からの識別結果信号を受けて、ホッパーユニット３０に対して、所定の枚数のメダルを排出させる指令信号を送信する。また、サンド基板ユニット２０には、強制的にメダルを払出すための払出ボタン２１が設置されている。このサンド基板ユニット２０には、コインサンドの前面カバーＡを開けることでアクセス可能に構成されている。よって、例えば紙幣が詰まった場合、店員等が前面カバーＡを開けて、払出ボタン２１を押すことで、強制的にメダルを排出させる指令がホッパーユニット３０に対して送信される。
【００１７】
ホッパーユニット３０は、サンド基板ユニット２０からの指令に基づいて、所定の枚数のメダルを払出す機能を有している。よって、ホッパーユニット３０内には、払出すメダルを収容しておく図示しないメダル収容箱が設置されている。このメダル収容箱へのメダルの補給は、店員がコインサンドの前面カバーＢを開けて手動で行っても良いし、上記特許文献２のように、メダル供給ラインからメダル自動供給口を介して自動的に行われるようにしても良い。また、ホッパーユニット３０内には、払出したメダルの枚数を検出するためのホッパーセンサ３１が設置されており、検出した枚数を表す信号が、サンド基板ユニット２０に送信される。このホッパーセンサ３１は、例えば、メダル収容箱から払出受皿へ至るホッパー出口に設置された光学式センサによって実現される。
【００１８】
ドアセンサ４０は、コインサンド１本体の前面カバーＡの開閉を検知するためのセンサであり、コインサンド１の筐体に設置されている。このドアセンサ４０は、機械式スイッチや光学センサ等によって実現される。
セキュリティ基板５０は、サンド基板ユニット２０と同様に、コインサンド１の筐体内に設置される。また、セキュリティ基板５０は、図１に示すように、紙幣識別ユニット１０からの識別結果信号、ホッパーセンサ３１からの払出枚数信号、ドアセンサ４０からの開閉信号を受信するように配線接続されている。また、セキュリティ基板５０上には、後述する不正行為を検知する仕組みを実現するための回路が実装されている。なお、セキュリティ基板上にＣＰＵを実装し、プログラムにより実現しても良い。
【００１９】
以下、上述した構成に基づいて、セキュリティ基板５０が、種々の不正行為を検知する仕組みについて、図２に基づいて、詳細に説明する。図２は、セキュリティ基板５０が、不正があったと判断するケース及び不正とまではいかないが警告を出す必要があると判断するケースを示す図である。なお、説明を簡単にするため、コインサンド１は、千円札のみを受け付け、千円につき５０枚のメダルを払出すことを前提として説明する。
【００２０】
まず、ケース(1)では、ドアセンサの出力から前面カバーＡが閉じており、紙幣識別ユニットの出力から紙幣の投入を検知した状態で、ホッパーセンサの出力から５０枚を超えるメダルの払出を検知した場合に、セキュリティ基板は、不正Aを検知する。この不正Aは、紙幣の投入が検知されているので、メダル50枚が払出されるべきところ、前面カバーＡが閉じたままで、50枚を超えるメダルが不正に払出されていることから、コインサンド内の回路に、払出メダル数を増やすような不正な細工が施されていると考えられる。
【００２１】
ケース(2)では、ドアセンサの出力から前面カバーＡが閉じており、紙幣識別ユニットの出力から紙幣の投入を検知していない状態で、ホッパーセンサの出力から１枚以上のメダルの払出を検知した場合に、セキュリティ基板は、不正Bを検知する。この不正Bは、前面カバーＡが閉じた状態で、紙幣の投入が検知されていないのに不正にメダルが払出されていることから、コインサンド内に突っ込まれた細い棒等によって払出ボタンが不正に押され、メダルが払出されたと考えられる。また、不正な電波をコインサンド内の回路に対して発信し、メダルが不正に払出されたとも考えられる。
【００２２】
ケース(3)では、ドアセンサの出力から前面カバーＡが開いている場合に、セキュリティ基板は、警告Aを検知する。この警告Aは、前面カバーＡが開くと、コインサンド内部の紙幣識別ユニットにアクセス可能になるため、とりあえず注意を促すための警告を出すものである。前面カバーＡは、施錠キーを持った店長又は担当店員しか開けられないはずであるが、不正に施錠キーを入手した者に開けられる可能性も有るからである。
【００２３】
ケース(4)では、ドアセンサの出力から前面カバーＡが開いており、ホッパーセンサの出力から１枚以上の払出を検知した場合に、セキュリティ基板は、警告Bを検知する。この警告Bは、前面カバーＡが開いた状態（上記警告Aが検知されている）でメダルが払出されていることから、通常は、店員により払出ボタンが押されてメダルが払出されていると考えられるが、不正に施錠キーを入手した者により行われている可能性もあるため、注意を促すための警告Bが発せられるように構成している。
【００２４】
上記(1)〜(4)の不正・警告を検知すると、セキュリティ基板５０は、不正・警告信号を出力する。この不正・警告信号は、店舗の管理用コンピュータに送信されると共に、店舗内の各島に設けられた警告灯にも送信されて、警告灯が点滅するように構成されている。この不正・警告信号には、当該コインサンドを特定するためのID情報も含まれているので、管理用コンピュータの管理者は、店舗内の監視カメラ等によって、当該コインサンドを注視し、対処が必要であるか否かを判断できる。さらに、コインサンド内にスピーカーを設け、不正・警告が検知された場合には、音で警報するよう構成し、不正な行為者を威嚇するようにしても良い。
【００２５】
なお、セキュリティ基板５０が、不正・警告を検知する場合は、上記４つのケースに限られるものではなく、適宜現場の状況に合わせて変更可能である。例えば、コインサンド本体裏側等の目立たない場所に警告解除スイッチを設けておいて、警告解除スイッチの存在を認知している店員等が、警告解除スイッチを押してから前面カバーＡを開けた場合には、警告A，Bを発しないように構成しても良い。なお、警告解除スイッチは、コインサンド内に、受信機を設置しておき、光若しくは無線を用いて解除できるように構成しても良い。
【００２６】
また、上記ケース(1)では、メダルが設定枚数を超えて払出される場合のみ、不正の対象としているが、50枚未満のメダルが払出される場合、すなわち、払出枚数が設定枚数に満たない場合も不正・警告の対象とするように構成しても良い。また、前面カバーＢにもドアセンサを設け、前面カバーＢの開閉に基づいた不正・警告を行うように構成しても良い。但し、セキュリティ上は、貨幣がストックされる紙幣識別ユニットに対する不正を検出することが重要である。
【００２７】
以上、詳細に説明したように、本実施の形態に係る不正払出検査装置としてのセキュリティ基板及び当該セキュリティ基板を備えたコインサンドによれば、ドアセンサ、紙幣識別ユニット、ホッパーセンサの出力を利用して、種々の不正行為を簡単な構成で確実に検知することが可能である。
【００２８】
なお、本発明の実施の形態は、上述した形態に限定されるものではなく、本発明の趣旨を逸脱しない範囲内で、種々の変形が可能である。例えば、ホッパーユニットにアクセスするための前面カバーＢを、メダル補給用とホッパーユニット取り出し用の２つの前面カバーに分けて設置しても良い。
また、セキュリティ基板をサンド基板ユニットと別体にコインサンド内に設置する形態について説明したが、セキュリティ基板と同様の機能を実行するための回路を、サンド基板上に一体に形成しても良いことは言うまでもない。また、コインサンド全体の制御プログラムと、上記セキュリティ基板の機能を実行するためのプログラムを用意することで、サンド基板上のＣＰＵが双方の機能を実行できるように構成しても良い。
【００２９】
さらには、セキュリティ基板の機能を備えた不正払出検査機器を、コインサンドと別体に構成しても良い。この場合、不正払出検査機器は、紙幣識別ユニット、ホッパーユニット及びドアセンサの出力を取得するために、コインサンド内の配線や回路に接続するための接続手段と、上記セキュリティ基板と同様の機能を実現するための演算手段とを備えている必要がある。このような不正払出検査機器によれば、ポータブル性に優れ、本実施の形態に係る不正払出検査機能を有さない従来のコインサンドに対しても、簡単に不正払出の検査を行うことができる。
【００３０】
また、本実施の形態においては、遊技媒体としてパチスロ機用のメダルを供給するコインサンドについて説明したが、遊技媒体は、ゲームセンターで用いられるメダルであっても良いし、パチンコ機用のパチンコ玉であっても良い。また、貸出装置に投入される貨幣も紙幣に限らず硬貨であっても良い。すなわち、貨幣の投入により、所定の数の遊技媒体を貸出す装置であり、投入される貨幣の識別を行う貨幣識別ユニット及び払出される遊技媒体の数を検知する遊技媒体払出数検知手段を筐体内に内蔵し、前記筐体内部にアクセスするためのドアの開閉を検知するドアセンサを有する遊技媒体貸出装置であれば、本発明を適用することができる。
【００３１】
また、紙幣識別ユニットに、ストック量検知機能を持たせ、紙幣が所定量溜まったことを店員に通知するように構成しても良い。通常は、紙幣のストック量に関わらず、所定のタイミングで店員が各コインサンドを回って紙幣を回収するという非効率な作業が行われているが、本変形例のように構成すれば、効率的に紙幣を回収することが可能である。さらに、一定の枚数の紙幣が貯まれば回収されることになるので、大量の紙幣がコインサンド内に貯まったまま放置されることも回避でき、セキュリティ上も好ましい。
【００３２】
図３は、本変形例に係るストック量検知機能を説明するために、紙幣識別ユニット１０の一部の構成を示す図である。図３（ａ）は、紙幣が０枚の状態を示す図、図３（ｂ）は、一定量の紙幣が貯まった状態を示す図である。同図に示すように、本変形例に係る紙幣識別ユニット１０は、ストックされる紙幣を支えるステージ１２、ステージ１２を紙幣識別ユニット１０の筐体に対して支えるバネ１３、ステージ１２と筐体の下面との距離を測定するための測距センサ１４とを有している。
【００３３】
バネ１３は、ステージ１２を介してストック紙幣を弾性力で上方へ押さえつけるように設置されている。そのため、紙幣がある程度溜まると、図３（ｂ）に示すように、ステージ１２が下方へ下がっていく。測距センサ１４は、レーザ等の発光素子とフォトディテクタ等の受光素子を備えており、その測定距離によりストック紙幣の量を検知することが可能になる。なお、測距センサ１４として、超音波センサ等を用いても良い、
【００３４】
このような構成において、予め設定された量のストック紙幣が貯まると、紙幣識別ユニット１０からサンド基板ユニット２０に通知信号が送られ、さらに、図示しない店舗の管理コンピュータに通知される。この情報を基に、店員に対して、紙幣が貯まったコインサンド１を知らせれば、安全且つ効率的にストック紙幣の回収を行うことができる。
【図面の簡単な説明】
【００３５】
【図１】本発明の実施の形態に係るコインサンドの概略構成を示すブロック図である。
【図２】本発明の実施の形態に係るセキュリティ基板による不正・警告検知処理を説明するための図である。
【図３】本発明の実施の形態の変形例に紙幣識別ユニット１０の一部の構成を示す図である。
【図４】本発明の従来技術に係るコインサンドの構成を概略的に示す図である。
【符号の説明】
【００３６】
１      コインサンド
１０    紙幣識別ユニット
２０    サンド基板ユニット
２１    払出ボタン
３０    ホッパーユニット
３１    ホッパーセンサ
４０    ドアセンサ
５０    セキュリティ基板
【図１】
2005237573.tif 000003
【図２】
2005237573.tif 000004
【図３】
2005237573.tif 000005
【図４】
2005237573.tif 000006